(57)【特許請求の範囲】
【請求項１】
共有ネットワークのアクセス制御方法であって、
アクセスネットワークノードが、公衆陸上移動通信ネットワーク（ＰＬＭＮ：Public Land Mobile Networks）を識別できる過負荷インジケータを受信するステップと、
アクセスネットワークノードが、受信された過負荷インジケータによって、アクセス制御を必要とするＰＬＭＮを知るステップと
を含むことを特徴とする方法。
【請求項２】
アクセスネットワークノードがＰＬＭＮを識別できる過負荷インジケータを受信するステップでは、
アクセスネットワークノードが、コアネットワークノードが過負荷の場合に、ＰＬＭＮを識別できる過負荷インジケータをコアネットワークノードから直接的に受信するか、
または、アクセスネットワークノードが、コアネットワークノードが過負荷の場合に、運用保守システムを介してＰＬＭＮを識別できる過負荷インジケータを受信する
ことを特徴とする請求項１に記載の方法。
【請求項３】
アクセスネットワークノードが、ＰＬＭＮを識別できる過負荷インジケータを受信するステップでは、アクセスネットワークノードが、ＰＬＭＮ識別子が含まれる過負荷メッセージを受信する
ことを特徴とする請求項１に記載の方法。
【請求項４】
アクセスネットワークノードは、
アクセスネットワークノードが、アクセス制御を必要とするＰＬＭＮごとに対応するＥＡＢ（Extended Access Barring）パラメータを設定し、放送メッセージでＰＬＭＮに対応するＥＡＢパラメータを端末に送信する方式１と、
アクセスネットワークノードが、端末により送信されたメッセージから、端末により選択されたＰＬＭＮ識別子を取得し、このＰＬＭＮ識別子がアクセス制御を必要とする現在のＰＬＭＮ識別子である場合、この端末の接続確立要求を拒絶するかまたはこの端末が既に確立した接続を解放する方式２と
のうちの1つ方式でアクセス制御を行う
ことを特徴とする請求項１に記載の方法。
【請求項５】
アクセスネットワークノードは、コアネットワークノードの過負荷が終了した場合に、アクセス制御の停止を必要とするＰＬＭＮ識別子を含む過負荷終了メッセージを受信する
ことを特徴とする請求項１に記載の方法。
【請求項６】
共有ネットワークのアクセスを制御するためのアクセスネットワークノードであって、
ＰＬＭＮ（Public Land Mobile Networks）を識別できる過負荷インジケータを受信し、
受信された過負荷インジケータによって、アクセス制御を必要とするＰＬＭＮを知る
ことを特徴とするアクセスネットワークノード。
【請求項７】
過負荷インジケータは、コアネットワークノードが過負荷である場合に、コアネットワークノードから直接的に受信されるか、
または、過負荷インジケータは、コアネットワークノードが過負荷である場合に、運用保守システムを介して受信される
ことを特徴とする請求項６に記載のアクセスネットワークノード。
【請求項８】
過負荷インジケータは、ＰＬＭＮ識別子を含む過負荷メッセージである
ことを特徴とする請求項６に記載のアクセスネットワークノード。
【請求項９】
前記アクセスネットワークノードは、
アクセスネットワークノードが、アクセス制御を必要とするＰＬＭＮごとにそれぞれ対応するＥＡＢパラメータを設定し、放送メッセージでＰＬＭＮに対応するＥＡＢ（Extended Access Barring）パラメータを端末に送信する方式１と、
アクセスネットワークノードが、端末により送信されたメッセージから、端末により選択されたＰＬＭＮ識別子を取得し、このＰＬＭＮ識別子がアクセス制御を必要とする現在のＰＬＭＮ識別子である場合、この端末の接続確立要求を拒絶するかまたはこの端末が既に確立した接続を解放する方式２と
のうちの1つ方式でアクセス制御を行う
ことを特徴とする請求項６に記載のアクセスネットワークノード。
【請求項１０】
更に、コアネットワークの過負荷が終了した場合に、アクセス制御の停止を必要とするＰＬＭＮ識別子を含む過負荷終了メッセージを受信する
ことを特徴とする請求項６に記載のアクセスネットワークノード。
【請求項１１】
共有ネットワークのアクセスを制御するためのコアネットワークノードであって、
アクセスネットワークノードが過負荷インジケータによって、アクセス制御を必要とするＰＬＭＮ（Public Land Mobile Networks）を知ることができるように、コアネットワークノードが過負荷である場合に、ＰＬＭＮを識別できる過負荷インジケータをアクセスネットワークへ送信する
ことを特徴とするコアネットワークノード。
【請求項１２】
過負荷インジケータは、ＰＬＭＮ識別子を含む過負荷メッセージである
ことを特徴とする請求項１１に記載のコアネットワークノード。
【請求項１３】
更に、過負荷インジケータを送信する前に、現在の負荷状況によって、アクセス制御を必要とするＰＬＭＮを確定する
ことを特徴とする請求項１１に記載のコアネットワークノード。
【請求項１４】
更に、コアネットワークノードの過負荷が終了した場合に、アクセス制御の停止を必要とするＰＬＭＮ識別子を含む過負荷終了メッセージをアクセスネットワークノードに送信する
ことを特徴とする請求項１１に記載のコアネットワークノード。
【発明の詳細な説明】
【技術分野】
【０００１】
本発明は、通信分野に関し、具体的に共有ネットワークのアクセス制御方法及びシステムに関する。
【背景技術】
【０００２】
モバイルネットワークサービス及び自動制御技術の発展に伴い、マシンツーマシン（Ｍ２Ｍ：Ｍａｃｈｉｎｅ  ｔｏ  Ｍａｃｈｉｎｅ）通信モードとも称されるマシンタイプ通信モードが出現した。この通信モードでは、少なくとも１つの機械装置が通信に関与する。
【０００３】
Ｍ２Ｍは、狭義にはマシンからマシンへの通信であると定義されるが、広義にはマシン端末の知能インタラクティブをコアとするネットワーク化の応用及びサービスを含む技術であると定義される。Ｍ２Ｍは、知能マシン端末に基づいて、アクセス手段としての様々な通信モードをユーザに提供する情報化解決策であり、モニタリング、コマンド・スケジューリング、データ収集及び測定などのユーザの情報化ための要求を満たすために用いられる。Ｍ２Ｍは、業界向けアプリケーション、家庭向けアプリケーション、個人向けアプリケーションなどに応用することができる。
【０００４】
Ｍ２Ｍは、その通信オブジェクトがマシンであり、通信動作が自動的に制御される。即ち、通信の開始、終了、及び通信過程におけるいくつかのアドミタンス及び制限に対する制御は、いずれも自動的に行われる。このような動作は、Ｍ２Ｍ通信においてマシン（即ち、Ｍ２Ｍ通信における端末）の動作に対する制約・制御に依存し、Ｍ２Ｍ通信における端末の動作は、サービス加入データによって制約され、ネットワークは、サービス加入データによってＭ２Ｍ通信における端末を管理する。
【０００５】
マシンタイプ通信において最も典型的な通信モードは、ＭＴＣ装置（ＭＴＣ  ｄｅｖｉｃｅ）と称される端末と、ＭＴＣサーバ（ＭＴＣ  Ｓｅｒｖｅｒ）と称されるアプリケーションサーバとの間の通信である。
【０００６】
２Ｇ／３Ｇ／ＬＴＥアクセスの場合、Ｍ２Ｍ通信は、主にパケットサービス（ＰＳ：Ｐａｃｋｅｔ  Ｓｅｒｖｉｃｅ）ネットワークを下位層ベアラネットワークとして、ＭＴＣ装置とＭＴＣサーバとの間のサービス層通信を実現する。図１は関連技術によるＭ２Ｍ通信エンティティが発展型パケットシステム（ＥＰＳ：Ｅｖｏｌｅｄ  Ｐａｃｋｅｔ  Ｓｙｓｔｅｍ）にアクセスする構造を示す図である。図１に示すように、下位層ベアラネットワークは、発展型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、移動管理エンティティ（ＭＭＥ：Ｍｏｂｉｌｉｔｙ  Ｍａｎａｇｅｍｅｎｔ  Ｅｎｔｉｔｙ）、サービングゲートウェイ（Ｓ−ＧＷまたはＳＧＷ：Ｓｅｒｖｉｎｇ  Ｇａｔｅｗａｙ）、パケットデータネットワークゲートウェイ（ＰＤＮ  ＧＷ、またはＰ−ＧＷ、またはＰＧＷ：Ｐａｃｋｅｔ  Ｄａｔａ  Ｎｅｔｗｏｒｋ  Ｇａｔｅｗａｙ）、ホーム加入者サーバ（ＨＳＳ：Ｈｏｍｅ  Ｓｕｂｓｃｒｉｂｅｒ  ｓｅｒｖｅｒ）、ポリシー及び課金ルール機能（ＰＣＲＦ：Ｐｏｌｉｃｙ  ａｎｄ  Ｃｈａｒｇｉｎｇ  Ｒｕｌｅｓ  Ｆｕｎｃｔｉｏｎ）エンティティを含む。ここで、Ｅ−ＵＴＲＡＮの主要なネットワークエレメントは、発展型基地局（eＮｏｄｅＢまたはｅＮＢ：Ｅｖｏｌｖｅｄ  ＮｏｄｅＢ）である。
【０００７】
図１において、ＭＭＥは、移動性管理、非アクセス層シグナリングの処理、及びユーザの移動管理におけるコンテキストの管理などの制御プレーンに関連する作業を担当する。Ｓ−ＧＷは、Ｅ−ＵＴＲＡＮに接続されるアクセスゲートウェイ装置であり、Ｅ−ＵＴＲＡＮとＰ−ＧＷとの間のデータ転送、及びページング待ちデータのキャッシングを担当する。Ｐ−ＧＷは、ＥＰＳとパケットデータネットワーク（ＰＤＮ：Ｐａｃｋｅｔ  Ｄａｔａ  Ｎｅｔｗｏｒｋ）の境界ゲートウェイであり、ＰＤＮのアクセス及びＥＰＳとＰＤＮの間のデータ転送などの機能を担当する。ＰＣＲＦは、ポリシー及び課金ルール機能エンティティであり、受信インターフェイスＲｘを介してオペレータネットワークプロトコル（ＩＰ：Ｉｎｔｅｒｎｅｔ  Ｐｒｏｔｏｃｏｌ）サービスネットワークと接続されてサービス情報を取得する。また、ＰＣＲＦは、Ｇｘインターフェイスを介してネットワークにおけるゲートウェイ装置と接続され、ＩＰベアラの確立の開始を担当し、サービスデータのサービス品質（ＱｏＳ：Ｑｕａｌｉｔｙ  ｏｆ  Ｓｅｒｖｉｃｅ）を保証し、そして課金制御を行うことができる。ＨＳＳは、ユーザの加入データの管理、ネットワークアクセス時におけるユーザの重要なコンテキスト情報の管理を提供することに用いられる。
【０００８】
また、ＭＴＣ  Ｓｅｒｖｅｒは、アプリケーション機能（ＡＦ：Ａｐｐｌｉｃａｔｉｏｎ  Ｆｕｎｃｔｉｏｎ）としての役割を果たし、Ｒｘインターフェースを介してＰＣＲＦと接続されて、ベアラに対する制御を実現することができる。また、ＭＴＣ  Ｓｅｒｖｅｒは、ＳＩＰ  ＡＳとしての役割を果たし、Ｓｈインターフェースを介してＨＳＳと接続されて、アプリケーションサービスデータにアクセスすることができる。
【０００９】
図１において、ＭＴＣ  ＵＥは、Ｅ−ＵＴＲＡＮ（ｅＮｏｄｅＢ）を介してＥＰＳネットワークにアクセスし、ＩＰアドレスが割り当てられた後に、ＭＴＣ  Ｓｅｒｖｅｒとの間にＩＰチャネルを確立し、それによってＭＴＣ  Ｓｅｒｖｅｒとの上位層サービス通信を実現することができる。ＭＴＣ  ＵＥとＭＴＣ  ｓｅｒｖｅｒとの間に確立されるＩＰチャネルは、論理的なＩＰチャネルである。
【００１０】
現在、Ｍ２Ｍ通信を実現する１つの方法は、ＭＴＣ  ＵＥとＭＴＣ  Ｓｅｒｖｅｒの間のＩＰチャネルにサービス層インタフェースプロトコルを確立するという方法である。このインタフェースプロトコルにより、ＭＴＣ  ＵＥとＭＴＣ  Ｓｅｒｖｅｒはサービスデータを交換し、同時にＭＴＣ  ＳｅｒｖｅｒもＭＴＣ  ＵＥに対する制御を実現する。
【００１１】
ＭＴＣ  ＵＥとＭＴＣ  Ｓｅｒｖｅｒとの間のＩＰ接続により、ＭＴＣ  ＵＥとＭＴＣ  Ｓｅｒｖｅｒとの間のデータ通信を実現できるが、ＭＴＣのモニタリングの要求は、このＩＰ接続により実現することが困難である。ＭＴＣ  Ｓｅｒｖｅｒは、ＭＴＣ  ＵＥの動作状態をモニタリングし、タイムリーに動的にＭＴＣ  ＵＥの現在の状態を知る必要があり、ＭＴＣ  ＵＥの現在の状態が変化した場合に、ＭＴＣ  Ｓｅｒｖｅｒは、通知をリアルタイムに取得する必要がある。これらのＭＴＣ  ＵＥの状態変化は、ＭＴＣ  ＵＥがネットワークから切断したり、ＭＴＣ  ＵＥが非接続状態になったり、ＭＴＣ  ＵＥが無線接続を解放したり、ＭＴＣ  ＵＥの現在の位置が変化したりしたときに生じる。これらのＭＴＣ  ＵＥの状態変化は、ＭＴＣイベントとも称される。一般的に、モニタリングする必要があるＭＴＣイベントは、ＨＬＲ／ＨＳＳのＭＴＣ加入データに定義され、ネットワークへのＭＴＣ  ＵＥの接続プロセスを介して、ＨＬＲ／ＨＳＳからサービングＧＰＲＳサポートノード（ＳＧＳＮ）／ＭＭＥに送信することができる。一般的に、ＭＴＣイベントの検出は、コアネットワークのネットワークエンティティで行なわれる必要があり、例えば、ＥＰＳネットワークにおいて、ＭＴＣイベントの検出を担当するネットワークエレメントは、ＭＭＥ／ＳＧＷ／ＰＧＷなどであり、ＧＰＲＳネットワークにおいて、ＭＴＣイベントの検出を担当するネットワークエレメントは、ＳＧＳＮ／ＧＧＳＮなどである。一般的に、ＭＴＣイベントが検出された場合、ＭＴＣ  ＳｅｒｖｅｒがリアルタイムにＭＴＣ  ＵＥの動作状況を知ることができるように、ＭＴＣイベントは、ＭＴＣ  Ｓｅｒｖｅｒに報告される必要がある。
【００１２】
ネットワーク共有は、複数のオペレータへの公衆陸上移動通信ネットワーク（ＰＬＭＮ）に、同じネットワークノードを共同で使用する能力を提供し、同じ領域でのネットワーク構築の繰り返しを回避し、オペレータのネットワーク構築コストを節約することができる。共有ネットワークにおいて、コアネットワークノードは、過負荷の場合に、アクセスネットワークノードへ過負荷メッセージを送信する。アクセスネットワークノードは、過負荷メッセージを受信した後、このノードを端末のサービスノードとして選択せずに、他の利用可能なネットワークノードを選択する。利用可能なネットワークノードがない場合、アクセスネットワークノードは、端末のアクセス要求を拒絶するかまたはＡＣＢ（アクセスクラス禁止：Ａｃｃｅｓｓ  Ｃｌａｓｓ  Ｂｒｒｉｎｇ）パラメータを放送する。コアネットワークノードは、負荷が正常になった場合に、アクセスネットワークノードへ過負荷終了メッセージを送信し、その後、アクセスネットワークノードは、このコアネットワークノードを端末のサービスノードとして引き続き選択することができる。しかし、上記の技術は、ＰＬＭＮを識別してアクセス制御を行っておらず、共有ネットワークノードの過負荷を引き起こさないオペレータの端末に対しても同じように取り扱うため、共有ネットワークの全てのＰＬＭＮ端末のアクセス制御の公平性を保証できない。
【発明の概要】
【発明が解決しようとする課題】
【００１３】
これを鑑みて、本発明の主要な目的は、ＰＬＭＮを識別してアクセス制御を行うことによって、共有ネットワークの全ての端末に対するアクセス制御の公平性を保証する共有ネットワークへのアクセス制御方法及びシステムを提供することにある。
【課題を解決するための手段】
【００１４】
前記目的を達成するために、本発明の技術的スキームは、以下のように実現される。
共有ネットワークのアクセス制御方法であって、
アクセスネットワークノードが、公衆陸上移動通信ネットワーク（ＰＬＭＮ：Public Land Mobile Networks）を識別できる過負荷インジケータを受信するステップと、
アクセスネットワークノードが、受信された過負荷インジケータによって、アクセス制御を必要とするＰＬＭＮを知るステップとを含む。
【００１５】
ここで、アクセスネットワークノードがＰＬＭＮを識別できる過負荷インジケータを受信するステップでは、
アクセスネットワークノードが、コアネットワークノードが過負荷の場合に、ＰＬＭＮを識別できる過負荷インジケータをコアネットワークノードから直接的に受信するか、
または、アクセスネットワークノードが、コアネットワークノードが過負荷の場合に、運用保守システムを介してＰＬＭＮを識別できる過負荷インジケータを受信する。
【００１６】
ここで、アクセスネットワークノードが、ＰＬＭＮを識別できる過負荷インジケータを受信するステップでは、アクセスネットワークノードが、ＰＬＭＮ識別子が含まれる過負荷メッセージを受信する。
【００１７】
ここで、アクセスネットワークノードは、以下２つの方式のうち１つの方式でアクセス制御を行う。
方式１、アクセスネットワークノードは、アクセス制御を必要とするＰＬＭＮごとに対応するＥＡＢパラメータを設定し、そして放送メッセージでＰＬＭＮに対応するＥＡＢパラメータを端末に送信する。
方式２、アクセスネットワークノードは、端末により送信されたメッセージから、端末により選択されたＰＬＭＮ識別子を取得し、このＰＬＭＮ識別子がアクセス制御を必要とする現在のＰＬＭＮ識別子である場合、この端末の接続確立要求を拒絶するかまたはこの端末が既に確立した接続を解放する。
【００１８】
ここで、アクセスネットワークノードは、コアネットワークノードの過負荷が終了した場合に、アクセス制御の停止を必要とするＰＬＭＮ識別子を含む過負荷終了メッセージを受信する。
【００１９】
共有ネットワークのアクセスを制御するためのアクセスネットワークノードは、
ＰＬＭＮ（Public Land Mobile Networks）を識別できる過負荷インジケータを受信し、
受信された過負荷インジケータによって、アクセス制御を必要とするＰＬＭＮを知る。
【００２０】
ここで、過負荷インジケータは、コアネットワークノードが過負荷である場合に、コアネットワークノードから直接的に受信されるか、
または、過負荷インジケータは、コアネットワークノードが過負荷である場合に、運用保守システムを介して受信される。
【００２１】
ここで、過負荷インジケータは、ＰＬＭＮ識別子を含む過負荷メッセージである。
【００２２】
ここで、前記アクセスネットワークノードは、さらに以下の２つの方式のうち１つの方式でアクセス制御を行う。
方式１、アクセスネットワークノードは、アクセス制御を必要とするＰＬＭＮごとにそれぞれ対応するＥＡＢパラメータを設定し、そして放送メッセージでＰＬＭＮに対応するＥＡＢパラメータを端末に送信する。
方式２、アクセスネットワークノードは、端末により送信されたメッセージから、端末により選択されたＰＬＭＮ識別子を取得し、このＰＬＭＮ識別子がアクセス制御を必要とする現在のＰＬＭＮ識別子である場合、この端末の接続確立の要求を拒絶するかまたはこの端末が既に確立した接続を解放する。
【００２３】
ここで、アクセスネットワークノードは、更に、コアネットワークの過負荷が終了した場合に、アクセス制御の停止を必要とするＰＬＭＮ識別子を含む過負荷終了メッセージを受信する。
【００２４】
共有ネットワークのアクセスを制御するためのコアネットワークノードは、
アクセスネットワークノードが過負荷インジケータによって、アクセス制御を必要とするＰＬＭＮ（Public Land Mobile Networks）を知ることができるように、コアネットワークノードが過負荷である場合に、ＰＬＭＮを識別できる過負荷インジケータをアクセスネットワークへ送信する。
【００２５】
ここで、過負荷インジケータは、ＰＬＭＮ識別子を含む過負荷メッセージである。
【００２６】
ここで、コアネットワークノードは、更に、過負荷インジケータを送信する前に、現在の負荷状況によって、アクセス制御を必要とするＰＬＭＮを確定する。
【００２７】
ここで、コアネットワークノードは、更に、コアネットワークノードの過負荷が終了した場合に、アクセス制御の停止を必要とするＰＬＭＮ識別子を含む過負荷終了メッセージをアクセスネットワークノードに送信する。
【発明の効果】
【００２８】
本発明の方法及びシステムは、共有ネットワークのＰＬＭＮよって引き起こされるネットワークノードの過負荷の実際の状況に応じて、ＰＬＭＮを識別してアクセス制御を行うことにより、共有ネットワークの全ての端末に対するアクセス制御の公平性を保証する。従って、共有ネットワークにおいて、異なるＰＬＭＮ端末に対してアクセス制御を行う場合の不公平の問題を解決することができる。
【図面の簡単な説明】
【００２９】
【図１】Ｍ２Ｍのネットワークの構造図である。
【図２】本発明の実施形態におけるＥＰＳ共有ネットワークにおいて、共有されるｅＮＢが拡張アクセス禁止（ＥＡＢ）機構を採用してアクセス制御を行うフローチャート１である。
【図３】本発明の実施形態におけるＵＭＴＳ共有ネットワークにおいて、共有されるＲＮＣがＥＡＢ機構を採用してアクセス制御を行うフローチャート１である。
【図４】本発明の実施形態におけるＥＰＳ共有ネットワークにおいて、共有されるｅＮＢがＵＥの無線接続を解放する方式でアクセス制御を行うフローチャート１である。
【図５】本発明の実施形態におけるＵＭＴＳ共有ネットワークにおいて、共有されるＲＮＣがＭＳの無線接続を解放する方式でアクセス制御を行うフローチャート１である。
【図６】本発明の実施形態におけるＥＰＳ共有ネットワークにおいて、共有されるｅＮＢがＥＡＢ機構を採用してアクセス制御を行うフローチャート２である。
【図７】本発明の実施形態におけるＵＭＴＳ共有ネットワークにおいて、共有されるＲＮＣがＥＡＢ機構を採用してアクセス制御を行うフローチャート２である。
【図８】本発明の実施形態におけるＥＰＳ共有ネットワークにおいて、共有されるｅＮＢは、ＵＥの無線接続を解放する方式でアクセス制御を行うフローチャート２である。
【図９】本発明の実施形態におけるＵＭＴＳ共有ネットワークにおいて、共有されるＲＮＣは、ＭＳの無線接続を解放する方式でアクセス制御を行うフローチャート２である。
【図１０】本発明の実施形態における共有ネットワークのアクセス制御のフローチャートである。
【発明を実施するための形態】
【００３０】
概して説明すると、共有ネットワークにおけるコアネットワークは、過負荷の場合に、アクセスネットワークノードへ過負荷メッセージを送信する。コアネットワークノードが複数のＰＬＭＮによって共有されている場合、まず、どのＰＬＭＮがコアネットワークの過負荷を引き起こしているか、または、どのＰＬＭＮの負荷が予め定義された閾値を超えたかが判断される。そして過負荷メッセージにＰＬＭＮ識別子が含められ、選択的に、他のアクセス制御パラメータ（例えばアクセス制御タイプ、待ち時間長さなど）が含められる。アクセスネットワークノードは、過負荷メッセージを受信した後、メッセージ内のＰＬＭＮ識別子によってどのＰＬＭＮに対してアクセス制御を行う必要があるかを知る。
【００３１】
アクセスネットワークノードは、以下の２つの方式で端末に対してアクセス制御を行うことができる。
【００３２】
方式１、アクセスネットワークノードは、アクセス制御を必要とするＰＬＭＮごとにそれぞれ対応するＥＡＢパラメータを設定し、そして放送メッセージでＰＬＭＮに対応するＥＡＢパラメータを端末に送信する。コアネットワークノードから送信された過負荷メッセージに、アクセス制御タイプ、待ち時間長さなどの他のアクセス制御パラメータが含まれる場合、アクセスネットワークノードは、ＥＡＢパラメータを設定するときに、コアネットワークから送信されたこれらの情報を参照する必要がある。
【００３３】
方式２、アクセスネットワークノードは、端末により送信された接続確立に関連するメッセージまたはその他のメッセージから、端末により選択されたＰＬＭＮ識別子を取得する。このＰＬＭＮ識別子がアクセス制御を必要とする現在のＰＬＭＮ識別子である場合、アクセスネットワークノードは、この端末の接続確立の要求を拒絶するかまたはこの端末が既に確立した接続を解放する。コアネットワークノードから送信された過負荷メッセージにアクセス制御タイプ、待ち時間長さなどの他のアクセス制御パラメータが含まれる場合、アクセスネットワークノードは、端末の無線接続を拒絶または解放するときに、コアネットワークから送信されたこれらの情報を参照する必要がある。また、端末の無線接続を拒絶または解放するメッセージに、待ち時間長さなどのアクセス制御のパラメータを含ませてもよい。
【００３４】
コアネットワークノードの過負荷状況は、Ｏ&Ｍ（運用保守）システムによってモニタリングされてもよい。例えば、予めＯ&Ｍに共有ネットワークノードの負荷閾値を設定し、コアネットワークノードの負荷が閾値に達したと検出した場合、Ｏ&Ｍは、アクセスネットワークノードへ、アクセス制御を必要とするＰＬＭＮ識別子及び他の関連パラメータを含む過負荷メッセージを送信する。アクセスネットワークノードが過負荷インジケータメッセージを受信した後の後続の処理は、上記の対応する技術の内容と同じである。負荷閾値は、ノードの全体の負荷閾値として設定されていてもよいし、ＰＬＭＮによってそれぞれ異なる閾値に設定されていてもよい。
【００３５】
共有ネットワークにおけるコアネットワークノードは、過負荷が終了した場合に、アクセスネットワークノードへ過負荷終了メッセージを送信する。コアネットワークノードが複数のＰＬＭＮによって共有されている場合、過負荷終了メッセージにアクセス制御停止のＰＬＭＮ識別子を含ませる必要がある。アクセスネットワークノードは、過負荷終了メッセージを受信した後、対応する端末に対するアクセス制御を停止する。
【００３６】
なお、具体的な動作では、共有されるコアネットワークノードは、現在の負荷状況によって、アクセス制御を必要とするＰＬＭＮを確定する。共有されるコアネットワークノードは、共有されるアクセスネットワークノードへ送信される過負荷メッセージに、アクセス制御を必要とするＰＬＭＮ識別子を含ませる。共有されるアクセスネットワークノードは、アクセス制御を必要とするＰＬＭＮごとにそれぞれＥＡＢパラメータを設定し、そして放送メッセージにおいてＥＡＢパラメータを端末に送信する。共有されるアクセスネットワークノードは、アクセス制御を必要とするＰＬＭＮ識別子を保存し、アクセス制御を必要とするＰＬＭＮ端末における、後に開始される無線接続を解放する。共有されるコアネットワークノードは、過負荷が終了した場合に、共有されるアクセスネットワークノードへ、アクセス制御の停止を必要とするＰＬＭＮ識別子が含まれる過負荷終了メッセージを送信する。
【００３７】
以下、図面と実施形態を参照して本発明を詳細に説明する。
【００３８】
コアネットワークとアクセスネットワークが同時に共有される場合。
【００３９】
実施の形態１：
図２に示すように、ＥＰＳ共有ネットワークにおいて、共有されるｅＮＢがＥＡＢ機構を採用してアクセス制御を行う具体的な実施プロセスは、以下の通りである。
【００４０】
１、共有されるＭＭＥは、過負荷の場合に、どのＰＬＭＮに対してアクセス制御を行うかを確定し、選択的に、対応するアクセス制御パラメータを設定する。
【００４１】
２、共有されるＭＭＥは、共有されるｅＮＢへ、アクセス制御を必要とするＰＬＭＮ識別子及び対応するアクセス制御パラメータ（オプションナル）を含む過負荷開始メッセージを送信する。
【００４２】
３、共有されるｅＮＢは、現在の負荷状況及び受信された情報によって、アクセス制御を必要とするＰＬＭＮごとに対応するＥＡＢパラメータを設定する。
【００４３】
４、共有されるｅＮＢは、ＵＥへアクセス制御を必要とするＰＬＭＮに対応するＥＡＢパラメータを放送する。
【００４４】
５、共有されるＭＭＥの過負荷が終了し、負荷が正常に戻る。
【００４５】
６、共有されるＭＭＥは、共有されるｅＮＢへ、アクセス制御停止のＰＬＭＮ識別子が含まれる過負荷停止メッセージを送信する。
【００４６】
７、共有されるｅＮＢは、ＵＥへＰＬＭＮに対応するＥＡＢパラメータを放送することを停止する。
【００４７】
実施の形態２：
図３に示すように、ＵＭＴＳ共有ネットワークにおいて、共有されるＲＮＣがＥＡＢ機構を採用してアクセス制御を行う具体的な実施プロセスは、以下の通りである。
【００４８】
１、共有されるＳＧＳＮは、過負荷の場合に、どのＰＬＭＮに対してアクセス制御を行うかを確定し、選択的に、対応するアクセス制御パラメータを設定する。
【００４９】
２、共有されるＳＧＳＮは、共有されるＲＮＣへ、アクセス制御を必要とするＰＬＭＮ識別子及び対応するアクセス制御パラメータ（オプションナル）を含む過負荷メッセージを送信する。
【００５０】
３、共有されるＲＮＣは、現在の負荷状況及び受信された情報によって、アクセス制御を必要とするＰＬＭＮごとに対応するＥＡＢパラメータを設定する。
【００５１】
４、共有されるＲＮＣは、ＭＳへアクセス制御を必要とするＰＬＭＮに対応するＥＡＢパラメータを放送する。
【００５２】
５、共有されるＳＧＳＮの過負荷状況が終了し、負荷が正常に戻る。
【００５３】
６、共有されるＳＧＳＮは、共有されるＲＮＣへ、アクセス制御停止のＰＬＭＮ識別子を含む過負荷停止メッセージを送信する。
【００５４】
７、共有されるＲＮＣは、ＭＳへＰＬＭＮに対応するＥＡＢパラメータを放送することを停止する。
【００５５】
実施の形態３：
図４に示すように、ＥＰＳネットワークにおいて、共有されるｅＮＢがＵＥの無線接続を解放する方式でアクセス制御を行う具体的な実施プロセスは、以下の通りである。
【００５６】
１、共有されるＭＭＥは、過負荷の場合に、どのＰＬＭＮに対してアクセス制御を行うかを確定し、選択的に、対応するアクセス制御パラメータを設定する。
【００５７】
２、共有されるＭＭＥは、共有されるｅＮＢへ、アクセス制御を必要とするＰＬＭＮ識別子及び対応するアクセス制御パラメータ（オプションナル）を含む過負荷開始メッセージを送信する。
【００５８】
３、共有されるｅＮＢは、アクセス制御を必要とするＰＬＭＮ識別子を保存する。
【００５９】
４、共有されるｅＮＢは、ＵＥにより選択されたＰＬＭＮ識別子を取得する。
【００６０】
５、取得された、ＵＥにより選択されたＰＬＭＮ識別子が、共有されるｅＮＢによって保存されたアクセス制御を必要とするＰＬＭＮ識別子であるか、またはその中の１つである場合、ｅＮＢは、このＵＥのＲＲＣ接続を解放することを確定する。
【００６１】
６、共有されるｅＮＢは、ＵＥへＲＲＣ接続の解放メッセージを送信する。
【００６２】
７、共有されるＭＭＥの過負荷状況が終了し、負荷が正常に戻る。
【００６３】
８、共有されるＭＭＥは、共有されるｅＮＢへ、アクセス制御停止のＰＬＭＮ識別子を含む過負荷停止メッセージを送信する。
【００６４】
９、共有されるｅＮＢは、ＰＬＭＮに対応するＵＥのＲＲＣ接続の解放を停止する。
【００６５】
実施の形態４：
図５に示すように、ＵＭＴＳ共有ネットワークにおいて、共有されるＲＮＣが、ＭＳの無線接続を解放する方式でアクセス制御を行う具体的な実施プロセスは、以下の通りである。
【００６６】
１、共有されるＳＧＳＮは、過負荷の場合に、どのＰＬＭＮに対してアクセス制御を行うかを確定し、選択的に、対応するアクセス制御パラメータを設定する。
【００６７】
２、共有されるＳＧＳＮは、共有されるＲＮＣへ、アクセス制御を必要とするＰＬＭＮ識別子及び対応するアクセス制御パラメータ（オプションナル）を含む過負荷メッセージを送信する。
【００６８】
３、共有されるＲＮＣは、アクセス制御を必要とするＰＬＭＮ識別子を保存する。
【００６９】
４、共有されるＲＮＣは、ＭＳにより選択されたＰＬＭＮ識別子を取得する。
【００７０】
５、取得された、ＭＳにより選択されたＰＬＭＮ識別子が、共有されるＲＮＣによって保存されたアクセス制御を必要とするＰＬＭＮ識別子であるか、またはその中の１つである場合、ＲＮＣは、このＭＳのＲＲＣ接続を解放することを確定する。
【００７１】
６、共有されるＲＮＣは、ＭＳへＲＲＣ接続の解放メッセージを送信する。
【００７２】
７、共有されるＳＧＳＮの過負荷状況が終了し、負荷が正常に戻る。
【００７３】
８、共有されるＳＧＳＮは、共有されるＲＮＣへ、アクセス制御停止のＰＬＭＮ識別子を含む過負荷停止メッセージを送信する。
【００７４】
９、共有されるＲＮＣは、ＰＬＭＮに対応するＭＳのＲＲＣ接続の解放を停止する。
【００７５】
アクセスネットワークのみが共有される場合。
【００７６】
実施の形態５：
図６に示すように、ＥＰＳ共有ネットワークにおいて、共有されるｅＮＢがＥＡＢ機構を採用してアクセス制御を行う具体的な実施プロセスは、以下の以下の通りである。
【００７７】
１、ＭＭＥは、過負荷の場合に、共有されるｅＮＢへ過負荷開始メッセージを送信する。
【００７８】
２、共有されるｅＮＢは、現在の負荷状況及び受信された情報によって、アクセス制御を必要とするＰＬＭＮ識別子を確定し、そしてアクセス制御を必要とするＰＬＭＮごとに対応するＥＡＢパラメータを設定する。
【００７９】
３、共有されるｅＮＢは、ＵＥへアクセス制御を必要とするＰＬＭＮに対応するＥＡＢパラメータを放送する。
【００８０】
４、ＭＭＥの過負荷状況が終了し、負荷が正常に戻る。
【００８１】
５、ＭＭＥは、共有されるｅＮＢへ過負荷停止メッセージを送信する。
【００８２】
６、共有されるｅＮＢは、ＵＥへＰＬＭＮに対応するＥＡＢパラメータを放送することを停止する。
【００８３】
実施の形態６：
図７に示すように、ＵＭＴＳ共有ネットワークにおいて、共有されるＲＮＣがＥＡＢ機構を採用してアクセス制御を行う具体的な実施プロセスは、以下の通りである。
【００８４】
１、ＳＧＳＮは、過負荷の場合に、共有されるＲＮＣへ過負荷メッセージを送信する。
【００８５】
２、共有されるＲＮＣは、現在の負荷状況及び受信された情報によって、アクセス制御を必要とするＰＬＭＮを確定し、そしてアクセス制御を必要とするＰＬＭＮごとに対応するＥＡＢパラメータを設定する。
【００８６】
３、共有されるＲＮＣは、ＭＳへアクセス制御を必要とするＰＬＭＮに対応するＥＡＢパラメータを放送する。
【００８７】
４、ＳＧＳＮの過負荷が終了し、負荷が正常に戻る。
【００８８】
５、ＳＧＳＮは、共有されるＲＮＣへ過負荷停止メッセージを送信する。
【００８９】
６、共有されるＲＮＣは、ＭＳへＰＬＭＮに対応するＥＡＢパラメータを放送することを停止する。
【００９０】
実施の形態７：
図８に示すように、ＥＰＳ共有ネットワークにおいて、共有されるｅＮＢがＵＥの無線接続を解放する方式でアクセス制御を行う具体的な実施プロセスは、以下の通りである。
【００９１】
１、ＭＭＥは、過負荷の場合に、共有されるｅＮＢへ過負荷開始メッセージを送信する
【００９２】
２、共有されるｅＮＢは、現在の負荷状況及び受信された情報によって、アクセス制御を必要とするＰＬＭＮを確定する。
【００９３】
３、共有されるｅＮＢは、ＵＥにより選択されたＰＬＭＮ識別子を取得する。
【００９４】
４、取得されたＵＥにより選択されたＰＬＭＮ識別子が、アクセス制御を必要とするＰＬＭＮであるか、またはその中の１つである場合、ｅＮＢは、このＵＥのＲＲＣ接続を解放することを確定する。
【００９５】
５、共有されるｅＮＢは、ＵＥへＲＲＣ接続の解放メッセージを送信する。
【００９６】
６、ＭＭＥの過負荷が終了し、負荷が正常に戻る。
【００９７】
７、ＭＭＥは、共有されるｅＮＢへ過負荷停止メッセージを送信する。
【００９８】
８、共有されるｅＮＢは、ＰＬＭＮに対応するＵＥのＲＲＣ接続を解放することを停止する。
【００９９】
実施の形態８：
図９に示すように、ＵＭＴＳ共有ネットワークにおいて、共有されるＲＮＣがＭＳの無線接続を解放する方式でアクセス制御を行う具体的な実施プロセスは、以下の通りである。
【０１００】
１、ＳＧＳＮは、過負荷の場合に、共有されるＲＮＣへ過負荷メッセージを送信する。
【０１０１】
２、共有されるＲＮＣは、現在の負荷状況及び受信された情報によって、アクセス制御を必要とするＰＬＭＮを確定する。
【０１０２】
３、共有されるＲＮＣは、ＭＳにより選択されたＰＬＭＮ識別子を取得する。
【０１０３】
４、取得されたＭＳにより選択されたＰＬＭＮ識別子が、アクセス制御を必要とするＰＬＭＮであるか、またはその中の１つである場合、ＲＮＣは、このＭＳのＲＲＣ接続を解放することを確定する。
【０１０４】
５、共有されるＲＮＣは、ＭＳへＲＲＣ接続の解放メッセージを送信する。
【０１０５】
６、ＳＧＳＮの過負荷が終了し、負荷が正常に戻る。
【０１０６】
７、ＳＧＳＮは、共有されるＲＮＣへ過負荷停止メッセージを送信する。
【０１０７】
８、共有されるＲＮＣは、ＰＬＭＮに対応するＭＳのＲＲＣ接続を解放することを停止する。
【０１０８】
コアネットワークのみが共有される場合。
【０１０９】
コアネットワークノードのみが共有されてアクセスネットワークノードがそれぞれ独立している場合、コアネットワークノードは、過負荷の場合に、どのＰＬＭＮに対してアクセス制御を行うかを確定する必要がある。共有されるコアネットワークノードは、アクセス制御を必要とするアクセスネットワークノードへ過負荷メッセージを送信する。共有されるコアネットワークノードは、過負荷が終了した場合に、アクセス制御を行っているアクセスネットワークノードへ過負荷終了メッセージを送信する必要がある。
【０１１０】
なお、ＰＬＭＮ識別子が含められる過負荷メッセージ、過負荷開始メッセージなどのインジケータは、アクセスネットワークノードがＰＬＭＮを識別できることを保証して、アクセス制御を必要とするＰＬＭＮを確定するためのものである。明らかなように、実際の応用においては、ＰＬＭＮを識別することができれば、ＰＬＭＮを識別できる過負荷インジケータは特に限定されない。
【０１１１】
上記の各実施形態を参照すると、本発明に係る共有ネットワークのアクセス制御の方法は、図１０に示すプロセスで表すことができる。このプロセスは、以下のステップを含む。
【０１１２】
ステップ１００１において、共有ネットワークにおけるコアネットワークノードは、過負荷の場合に、アクセスネットワークノードへＰＬＭＮを識別できる過負荷インジケータを送信する。
【０１１３】
ステップ１００２において、アクセスネットワークノードは、受信された過負荷インジケータによって、アクセス制御を必要とするＰＬＭＮを知る。
【０１１４】
上述したように、方法かシステムかに関わらず、本発明に係る共有ネットワークのアクセス制御技術によれば、共有ネットワークのＰＬＭＮによるネットワークノードの過負荷の実際の状況によって、ＰＬＭＮを識別してアクセス制御を行うことにより、共有ネットワークの全ての端末に対するアクセス制御の公平性が保証される。従って、共有ネットワークにおいて、異なるＰＬＭＮ端末に対してアクセス制御を行う場合の不公平性の問題を解決することができる。
【０１１５】
以上は、本発明の好適な実施例に過ぎず、本発明の保護範囲を制限するものではない。
【図１】
0005718484.tif 000002
【図２】
0005718484.tif 000003
【図３】
0005718484.tif 000004
【図４】
0005718484.tif 000005
【図５】
0005718484.tif 000006
【図６】
0005718484.tif 000007
【図７】
0005718484.tif 000008
【図８】
0005718484.tif 000009
【図９】
0005718484.tif 000010
【図１０】
0005718484.tif 000011